(57)【要約】  本発明の実施形態は、通信技術分野に関し、ランダムアクセスを実行するための非アンカーキャリア上でリソースをユーザ機器が正確に選択することができないという従来技術の問題を解消するためのランダムアクセス方法及び装置を提供する。当該方法は、第１の測定周期Ｔ１におけるユーザ機器ＵＥが、アンカーキャリア上で基準信号受信電力（ＲＳＲＰ）Ｗ１を測定する段階と、ＵＥが、Ｗ１に基づいて第１のカバレッジレベルを決定する段階と、ＵＥが、第１のカバレッジレベルに基づいて第１リソースを決定する段階であって、第１リソースは、ＵＥが非アンカーキャリア上でランダムアクセスを実行するために用いられる、決定する段階とを含む。
2020511852.tif 000002
【特許請求の範囲】
【請求項１】
ランダムアクセス方法であって、
第１の測定周期Ｔ１におけるユーザ機器ＵＥが、アンカーキャリア上で基準信号受信電力（ＲＳＲＰ）Ｗ１を測定する段階と、
前記ＵＥが、Ｗ１に基づいて第１のカバレッジレベルを決定する段階と、
前記ＵＥが、前記第１のカバレッジレベルに基づいて第１リソースを決定する段階であって、前記第１リソースは、前記ＵＥが非アンカーキャリア上でランダムアクセスを実行するために用いられる、決定する段階とを備える、方法。
【請求項２】
第１の条件において、前記ＵＥに対して間欠受信（ＤＲＸ）が構成されていない場合、前記第１の測定周期Ｔ１は１０００ミリ秒、１２００ミリ秒、１４００ミリ秒、又は１６００ミリ秒であり、又は前記ＵＥに対して間欠受信が構成されている場合、Ｔ１は間欠受信周期の８倍又は間欠受信周期の１０倍に等しく、
前記第１の条件は、前記ＵＥの無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすこと、又は、
第２の条件において、前記ＵＥに対して間欠受信が構成されていない場合、前記第１の測定周期Ｔ１は２０００ミリ秒、２４００ミリ秒、２８００ミリ秒、又は３２００ミリ秒であり、又は前記ＵＥに対して間欠受信が構成されている場合、Ｔ１は間欠受信周期の８倍又は間欠受信周期の１０倍に等しく、
前記第２の条件は、前記ＵＥの無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たすことである、請求項１に記載の方法。
【請求項３】
前記ＵＥが、Ｗ１に基づいて第１のカバレッジレベルを決定する前記段階は、
前記ＵＥが、Ｗ１と少なくとも１つのカバレッジレベル閾値とを比較した結果に基づいて前記第１のカバレッジレベルを決定する段階であって、前記ＵＥは、前記少なくとも１つのカバレッジレベル閾値をアクセスネットワークデバイスから受信する、又は、前記ＵＥが、アクセスネットワークデバイスから受信した少なくとも１つのカバレッジレベル閾値及び増分値に基づいて前記少なくとも１つのカバレッジレベル閾値を決定し、前記増分値は予め構成されている、決定する段階を含む、請求項１又は２に記載の方法。
【請求項４】
前記ＵＥが、前記第１リソースを用いて第１伝送電力Ｐ１で前記非アンカーキャリア上でランダムアクセスを実行する段階をさらに備える方法であって、
Ｐ１は、前記ＵＥが、最小数の繰り返しで前記ランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈは前記ネットワークにより構成される予想ナローバンドプリアンブル受信電力であり、ＰＬは前記ＵＥがアクセスしたサービングセルの、前記ＵＥが推定されたダウンリンクパスロスであり、ΔＰは正の値である、
請求項１から３のいずれか１つに記載の方法。
【請求項５】
ΔＰは０．５×Ｎであり、Ｎは１より大きいか又はそれに等しい正の整数である、請求項４に記載の方法。
【請求項６】
ユーザ機器であって、
アンカーキャリア上で基準信号受信電力（ＲＳＲＰ）Ｗ１を、第１の測定周期Ｔ１において測定するように構成されている測定ユニットと、
Ｗ１に基づいて第１のカバレッジレベルを決定するように構成されている決定ユニットと、
を備え、
前記決定ユニットはさらに、前記第１のカバレッジレベルに基づいて第１リソースを決定するように構成されており、前記第１リソースは、前記ＵＥが非アンカーキャリア上でランダムアクセスを実行するために用いられる、ユーザ機器。
【請求項７】
第１の条件において、前記ユーザ機器に対して間欠受信（ＤＲＸ）が構成されていない場合、前記第１の測定周期Ｔ１は１０００ミリ秒、１２００ミリ秒、１４００ミリ秒、又は１６００ミリ秒であり、又は前記ユーザ機器に対して間欠受信が構成されている場合、Ｔ１は間欠受信周期の８倍又は間欠受信周期の１０倍に等しく、
前記第１の条件は、前記ユーザ機器の無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすことである、又は
第２の条件において、前記ユーザ機器に対して間欠受信が構成されていない場合、前記第１の測定周期Ｔ１は２０００ミリ秒、２４００ミリ秒、２８００ミリ秒、又は３２００ミリ秒であり、又は前記ユーザ機器に対して間欠受信が構成されている場合、Ｔ１は間欠受信周期の８倍又は間欠受信周期の１０倍に等しく、
前記第２の条件は、前記ユーザ機器の無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たす、請求項６に記載のユーザ機器。
【請求項８】
前記決定ユニットは、
Ｗ１と少なくとも１つのカバレッジレベル閾値とを比較した結果に基づいて前記第１のカバレッジレベルを決定するように具体的に構成されており、前記ユーザ機器は、前記少なくとも１つのカバレッジレベル閾値をアクセスネットワークデバイスから受信するか、又は、前記ユーザ機器が、アクセスネットワークデバイスから受信した少なくとも１つのカバレッジレベル閾値及び増分値に基づいて前記少なくとも１つのカバレッジレベル閾値を決定し、前記増分値は予め構成されている、
請求項６又は７に記載のユーザ機器。
【請求項９】
前記第１リソースを用いて第１伝送電力Ｐ１で前記非アンカーキャリア上でランダムアクセスを実行するように構成されているアクセスユニットをさらに備えるユーザ機器であって、
Ｐ１は、前記ＵＥが、最小数の繰り返しで前記ランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈは前記ネットワークにより構成される予想ナローバンドプリアンブル受信電力であり、ＰＬは前記ユーザ機器がアクセスしたサービングセルの、前記ユーザ機器が推定したダウンリンクパスロスであり、ΔＰは正の値である、
請求項６から８のいずれか１つに記載のユーザ機器。
【請求項１０】
ΔＰは０．５×Ｎであり、Ｎは１より大きいか又はそれに等しい正の整数である、請求項９に記載のユーザ機器。
【請求項１１】
メモリ及びプロセッサを備えるユーザ機器であって、前記メモリはコード及びデータを記憶し、前記プロセッサは前記メモリにおける前記コードを実行して、前記ユーザ機器が請求項１から５のいずれか１つに記載の前記ランダムアクセス方法を実行することを可能にする、ユーザ機器。
【発明の詳細な説明】
【技術分野】
【０００１】
本発明の実施形態は、通信技術分野、特にランダムアクセス方法及び装置に関する。
【背景技術】
【０００２】
ナローバンドインターネットオブシングス（Ｎａｒｒｏｗｂａｎｄ‐Ｉｎｔｅｒｎｅｔ  ｏｆ  Ｔｈｉｎｇ、ＮＢ‐ＩｏＴ）は、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）プロトコル標準化機構により定義された技術的標準であり、インターネットオブシングスのために具体的に設計され、低コスト、低電力消費、及び広いカバレッジを特徴とするナローバンド無線周波数技術である。
【０００３】
ＮＢ‐ＩｏＴシステムにおいて、ユーザ機器（Ｕｓｅｒ  Ｅｑｕｉｐｍｅｎｔ、ＵＥ）のシステム帯域幅は１つの物理リソースブロック（Ｐｈｙｓｉｃａｌ  Ｒｅｓｏｕｒｃｅ  Ｂｌｏｃｋ、ＰＲＢ）であり、ネットワーク側におけるシステム帯域幅は、複数の物理リソースブロック（Ｐｈｙｓｉｃａｌ  Ｒｅｓｏｕｒｃｅ  Ｂｌｏｃｋ、ＰＲＢ）をサポートし得る。ネットワーク側における複数のＰＲＢは、１又は複数のアンカー（Ａｎｃｈｏｒ）キャリア及び複数の非アンカー（Ｎｏｎ‐ａｎｃｈｏｒ）キャリアとして構成され得る。ＵＥがアイドルモードの場合、ＵＥはアンカーキャリアにキャンプオンする。アンカーキャリアと非アンカーキャリアとの間の機能的な差は、アンカーキャリアがシステムブロードキャスト情報及び同期信号を搬送するという点である。
【０００４】
現在、ＵＥはアンカーキャリア上でランダムアクセスを開始できる。具体的に、ＵＥはシステムブロードキャスト情報を読み取り、アンカーキャリア上でナローバンド基準信号測定を実行し、測定結果に基づいて、アンカーキャリア上でランダムアクセスを開始する。システムメッセージは、複数のカバレッジレベル閾値を含んでよい。
【０００５】
通信需要が増加するにつれ、ＮＢ‐ＩｏＴ拡張需要はますます差し迫っている。端末がアンカーキャリア上のみランダムアクセスを実行させることは、常に増加する通信需要を次第に満たせなくなっている。非アンカーキャリアにランダムアクセスを提供することは、比較的至急な需要になっている。しかしながら、ナローバンド基準信号のような情報は、アンカーキャリア上のみで搬送される。したがって、ＵＥが非アンカーキャリア上でリソースを正確に選択してランダムアクセスを実行することをいかに可能にするかは緊急に取り組む必要がある技術的課題である。
【発明の概要】
【０００６】
本発明の実施形態は、ランダムアクセスを実行するための非アンカーキャリア上でリソースをＵＥが正確に選択することができないという従来技術の問題を解消するためのランダムアクセス方法及び装置を提供する。
【０００７】
上述の目的を達成するべく、本発明の実施形態は、以下の技術的解決手段を使用する。
【０００８】
第１態様によると、ランダムアクセス方法が提供される。当該方法は、第１の測定周期Ｔ１においてユーザ機器ＵＥが、アンカーキャリア上の基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）Ｗ１を測定する段階と、ＵＥが、Ｗ１に基づいて第１のカバレッジレベルを決定する段階と、ＵＥが、第１のカバレッジレベルに基づいて第１リソースを決定する段階であって、第１リソースは、ＵＥが非アンカーキャリア上でランダムアクセスを実行するために用いられる、決定する段階とを含む。第１の条件において、ＵＥに対して間欠受信（Ｄｉｓｃｏｎｔｉｎｕｏｕｓ  Ｒｅｃｅｐｔｉｏｎ、ＤＲＸ）が構成されていない場合、第１の測定周期Ｔ１は８００ミリ秒（ｍｓ）より大きく、例えば、Ｔ１は１０００ｍｓ、１２００ｍｓ、１４００ｍｓ、又は１６００ｍｓであり、又はＵＥに対して間欠受信が構成されている場合、Ｔ１は間欠受信周期の５倍より大きく、例えば、Ｔ１は間欠受信周期の８倍又は間欠受信周期の１０倍に等しい。第１の条件は、ＵＥの無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすことである。あるいは、第２の条件において、ＵＥに対して間欠受信が構成されていない場合、第１の測定周期Ｔ１は１６００ｍｓより大きく、例えば、Ｔ１は２０００ｍｓ、２４００ｍｓ、２８００ｍｓ、又は３２００ｍｓであり、ＵＥに対して間欠受信が構成されている場合、Ｔ１は間欠受信周期の５倍より大きく、例えば、Ｔ１は間欠受信周期の８倍又は間欠受信周期の１０倍に等しい。第２の条件は、ＵＥの無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たすことである。上述の技術的解決手段において、ＲＳＲＰを測定する時間を、先行技術において指定される測定周期を、例えば、値１０００ｍｓ又は上記に提供される異なる条件における間欠受信周期の８倍まで適切に延長することにより延長して、ＲＳＲＰの測定における精度をさらに改善し得る。非アンカーキャリアは、周波数領域において比較的アンカーキャリアに近い。したがって、ＵＥがアンカーキャリアにおけるＲＳＲＰ測定の精度を改善したという前提で、非アンカーキャリア上でランダムアクセスを実行するためのリソースの選択に当該測定結果が適用される場合、カバレッジレベル選択の正確度が改善し、それによりリソース選択の正確度が改善し、さらに非アンカーキャリア上でのランダムアクセスの実行の成功率が増加する。
【０００９】
第１態様を参照すると、第１態様の第１の可能な実装において、ＵＥが、Ｗ１に基づいて第１のカバレッジレベルを決定する段階は、ＵＥが、Ｗ１と少なくとも１つのカバレッジレベル閾値とを比較した結果に基づいて第１のカバレッジレベルを決定する段階であって、ＵＥは、少なくとも１つのカバレッジレベル閾値をアクセスネットワークデバイスから受信する、又は、ＵＥが、アクセスネットワークデバイスから受信した少なくとも１つのカバレッジレベル閾値及び増分値に基づいて少なくとも１つのカバレッジレベル閾値を決定し、増分値は予め構成されている、決定する段階を含む。任意選択的に、増分値は０．５×Ｍであり、Ｍは１より大きいか又はそれに等しい正の整数である。上記の可能な実装において、アクセスネットワークデバイスから受信される少なくとも１つのカバレッジレベル閾値、及び増分値に基づいて少なくとも１つのカバレッジレベル閾値が決定される場合、ここでの増分値は、非アンカーキャリア上でランダムアクセスが実行される場合、カバレッジレベル閾値を増加させるように設定される。アンカーキャリア上でのランダムアクセスと比較すると、これにより、ＵＥは、ＵＥのカバレッジ環境を可能な限り正確に予測し、より低いカバレッジレベルに適切な対応するリソースを選択し、カバレッジレベル選択の正確度を改善することができ、それによりリソース選択の正確度を改善し、さらに非アンカーキャリア上でランダムアクセス実行の成功率を増加させる。
【００１０】
第１態様又は第１態様の第１の可能な実装を参照すると、第１態様の第２の可能な実装において、当該方法は、ＵＥが、第１リソースを用いて第１伝送電力Ｐ１で非アンカーキャリア上でランダムアクセスを実行する段階をさらに含み、Ｐ１は、ＵＥが、最小の繰り返し数でランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈはネットワークにより構成される予想ナローバンドプリアンブル受信電力であり、ＰＬはＵＥがアクセスしたサービングセルの、ＵＥにより推定されたダウンリンクパスロスであり、ΔＰは正の値である。任意選択的に、ΔＰは０．５×Ｎであり、Ｎは１より大きいか又はそれに等しい正の整数である。
【００１１】
上記の可能な実装において、ＵＥが非アンカーキャリア上でランダムアクセスを実行する場合、ＵＥは、ＵＥにより用いられる伝送電力を増加させ、ランダムアクセスのナローバンドプリアンブルを送信し、アクセスネットワークデバイスにおける信号の受信信号対干渉プラス雑音比を増加させることにより、ＵＥが非アンカーキャリア上でランダムアクセスを実行することの成功率を増加させる。
【００１２】
第２態様によると、ランダムアクセス方法が提供される。当該方法は、第１の測定周期Ｔ１においてＵＥが、アンカーキャリア上で基準信号受信電力（ＲＳＲＰ）Ｗ１を測定する段階と、ＵＥが、Ｗ１と少なくとも１つのカバレッジレベル閾値とを比較した結果に基づいて第１のカバレッジレベルを決定する段階であって、ＵＥは、少なくとも１つのカバレッジレベル閾値をアクセスネットワークデバイスから受信する、又は、ＵＥが、アクセスネットワークデバイスから受信した少なくとも１つのカバレッジレベル閾値及び増分値に基づいて少なくとも１つのカバレッジレベル閾値を決定し、増分値は予め構成されている、決定する段階を含む。任意選択的に、増分値は０．５×Ｍであり、Ｍは１より大きいか又はそれに等しい正の整数である。
【００１３】
第３の態様によると、ランダムアクセス方法が提供される。当該方法は、第１の測定周期Ｔ１においてＵＥが、アンカーキャリア上の基準信号受信電力（ＲＳＲＰ）Ｗ１を測定する段階と、ＵＥが、Ｗ１に基づいて第１のカバレッジレベルを決定する段階と、ＵＥが、第１のカバレッジレベルに基づいて第１リソースを決定する段階と、ＵＥが、第１リソースを用いて第１伝送電力Ｐ１で非アンカーキャリア上でランダムアクセスを実行する段階であって、Ｐ１は、ＵＥが、最小数の繰り返しでランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈはネットワークにより構成される予想ナローバンドプリアンブル受信電力であり、ＰＬはＵＥがアクセスしたサービングセルの、ＵＥにより推定されたダウンリンクパスロスであり、ΔＰは正の値である、実行する段階を含む。任意選択的に、ΔＰは０．５×Ｎであり、Ｎは１より大きいか又はそれに等しい正の整数である。
【００１４】
第４の態様によると、ユーザ機器が提供され、当該ユーザ機器は、アンカーキャリア上で基準信号受信電力（ＲＳＲＰ）Ｗ１を、第１の測定周期Ｔ１において測定するように構成されている測定ユニットと、Ｗ１に基づいて第１のカバレッジレベルを決定するように構成されている決定ユニットと、を含み、決定ユニットはさらに、第１のカバレッジレベルに基づいて第１リソースを決定するように構成されており、第１リソースは、ＵＥが非アンカーキャリア上でランダムアクセスを実行するために用いられる。
【００１５】
第４の態様を参照すると、第４の態様の第１の可能な実装において、第１の条件において、ユーザ機器に対して間欠受信（ＤＲＸ）が構成されていない場合、第１の測定周期Ｔ１は１０００ミリ秒、１２００ミリ秒、１４００ミリ秒、又は１６００ミリ秒であり、又はユーザ機器に対して間欠受信が構成されている場合、Ｔ１は間欠受信周期の８倍又は間欠受信周期の１０倍に等しく、第１の条件は、ユーザ機器の無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすことである。あるいは、第２の条件において、ユーザ機器に対して間欠受信が構成されていない場合、第１の測定周期Ｔ１は２０００ミリ秒、２４００ミリ秒、２８００ミリ秒、又は３２００ミリ秒であり、又はユーザ機器に対して間欠受信が構成されている場合、Ｔ１は間欠受信周期の８倍又は間欠受信周期の１０倍に等しく、第２の条件は、ユーザ機器の無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たすことである。
【００１６】
第４の態様又は第４の態様の第１の可能な実装を参照すると、第４の態様の第２の可能な実装において、決定ユニットはＷ１と少なくとも１つのカバレッジレベル閾値とを比較した結果に基づいて第１のカバレッジレベルを決定するように具体的に構成されており、ユーザ機器は少なくとも１つのカバレッジレベル閾値をアクセスネットワークデバイスから受信するか、又はユーザ機器はアクセスネットワークデバイスから受信される少なくとも１つのカバレッジレベル閾値、及び予め構成される増分値に基づいて少なくとも１つのカバレッジレベル閾値を決定する。任意選択的に、増分値は０．５×Ｍであり、Ｍは１より大きいか又はそれに等しい正の整数である。
【００１７】
第４の態様又は第４の態様の第１及び第２の可能な実装のうちいずれか１つを参照すると、第４の態様の第３の可能な実装において、ユーザ機器はさらに、第１リソースを用いて第１伝送電力Ｐ１で非アンカーキャリア上でランダムアクセスを実行するように構成されているアクセスユニットを含み、Ｐ１は、ユーザ機器が、最小数の繰り返しでランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈはネットワークにより構成される予想ナローバンドプリアンブル受信電力であり、ＰＬはユーザ機器がアクセスしたサービングセルの、ユーザ機器により推定されたダウンリンクパスロスであり、ΔＰは正の値である。
【００１８】
第４の態様の第３の可能な実装のうちいずれか１つを参照すると、第４の態様の第４の可能な実装において、ΔＰは０．５×Ｎであり、Ｎは１より大きいか又はそれに等しい正の整数である。
【００１９】
第５の態様によると、ユーザ機器が提供され、当該ユーザ機器はメモリ及びプロセッサを含み、メモリはコード及びデータを記憶し、プロセッサはメモリにおけるコードを実行して、ユーザ機器が第１態様又は第１態様の第１及び第２の可能な実装のうちいずれか１つによるランダムアクセス方法を実行させられ、ユーザ機器が第２態様によるランダムアクセス方法を実行するようにさせられるか、又はユーザ機器が第３の態様によるランダムアクセス方法を実行するようにさせられる。
【００２０】
本願のさらに別の態様は、コンピュータ可読記憶媒体を提供する。当該コンピュータ可読記憶媒体は命令を記憶し、命令がコンピュータ上で動作する場合、コンピュータは上述の態様に係るランダムアクセス方法を実行するようにイネーブルされる。
【００２１】
本願のさらに別の態様は、命令を含むコンピュータプログラムプロダクトを提供する。コンピュータプログラムプロダクトがコンピュータ上で動作する場合、コンピュータは上述の態様に係るランダムアクセス方法を実行するようにイネーブルされる。
【００２２】
上記に提供されているランダムアクセス方法、コンピュータ記憶媒体、又はコンピュータプログラムプロダクトのうちいずれの装置も、上記に提供されている対応する方法を実行するために用いられることが理解できる。したがって、装置、コンピュータ記憶媒体、又はコンピュータプログラムプロダクトの有益な効果については、上記に提供されている対応する方法における有益な効果を参照されたい。詳細はここで再度説明しない。
【図面の簡単な説明】
【００２３】
【図１】本発明の実施形態に係るＮＢ‐ＩｏＴシステムの概略構造図である。
【００２４】
【図２】本発明の実施形態に係るアクセスネットワークデバイスの概略構造図である。
【００２５】
【図３】本発明の実施形態に係るベースバンドサブシステムの概略構造図である。
【００２６】
【図４】本発明の実施形態に係るユーザ機器の概略構造図である。
【００２７】
【図５】本発明の実施形態に係るランダムアクセス方法のフローチャートである。
【００２８】
【図６】本発明の実施形態に係るカバレッジレベルの分布の種類の概略図である。
【００２９】
【図７】本発明の実施形態に係るカバレッジレベルの分布の別の種類の概略図である。
【００３０】
【図８】本発明の実施形態に係る別のランダムアクセス方法のフローチャートである。
【００３１】
【図９】本発明の実施形態に係るユーザ機器の概略構造図である。
【００３２】
【図１０】本発明の実施形態に係る別のユーザ機器の概略構造図である。
【発明を実施するための形態】
【００３３】
図１は、本発明の実施形態に係るＮＢ‐ＩｏＴシステムの概略構造図である。ＮＢ‐ＩｏＴは、広域ネットワークにおいて低電力デバイスにセルラーデータ接続を提供し、低電力広域ネットワーク（Ｌｏｗ  Ｐｏｗｅｒ  Ｗｉｄｅ  Ａｒｅａ  Ｎｅｔｗｏｒｋ、ＬＰＷＡ）とも称されてよい。ＮＢ‐ＩｏＴは、セルラーネットワーク上に構成されており、１８０ＫＨｚ（すなわち、１つのＰＲＢ）より大きい帯域幅のみを消費し、ＧＳＭネットワーク、ＵＭＴＳネットワーク、又はＬＴＥネットワークに直接配置されてよく、配置コストを低減し、スムーズなアップグレードを実装する。
【００３４】
図１を参照すると、ＮＢ‐ＩｏＴシステムはアクセスネットワークデバイス１０１及びユーザ機器１０２を含んでよい。アクセスネットワークデバイス１０１は基地局であってよく、共有チャネルスケジューリング機能及びユーザ機器１０２に送信されたパケットデータの履歴に基づいてスケジューリングを設定する機能を提供する。スケジューリングとは、統計的多重化利得を取得するために、複数のユーザ機器１０２が伝送リソースを共有する場合、物理層リソースを効果的に割り当てるためのメカニズムが必要であることを意味する。ユーザ機器１０２は、アクセスネットワークデバイス１０１への通信チャネルを設定することによりデータを送信及び受信する。ユーザ機器１０２は、スケジューリング制御チャネルを用いて送信された情報に基づいて共有チャネルを送信又は受信する。加えて、ユーザ機器１０２は携帯電話、車両、コンピュータ又はポータブル端末などであってよい。加えて、ユーザ機器１０２の種類は同じでもよく、異なってもよい。アクセスネットワークデバイス１０１及びユーザ機器１０２は、通信チャネルを用いて互いにデータを受信及び送信する。通信チャネルは、無線通信チャネルであってよい。無線通信チャネルは、少なくとも共有チャネル及びスケジューリング制御チャネルを含む。共有チャネルは、複数のユーザ機器１０２間で共有され、パケットを送信及び受信するために用いられる。スケジューリング制御チャネルは共有チャネルの割り当て、及び対応するスケジューリング結果などを送信するために用いられる。
【００３５】
図２は、本発明の実施形態に係るアクセスネットワークデバイスのハードウェアの構造図である。図２に示されるように、アクセスネットワークデバイスは基地局であってよく、ベースバンドサブシステム、中間無線周波数サブシステム、アンテナサブシステム、及びいくつかのサポート構造（例えば、統合されたサブシステム）を含む。ベースバンドサブシステムは、全体の基地局の運用及び保守を実装し、シグナリング処理及び無線リソース原則を実装し、パケットコアネットワークに伝送インタフェースを提供し、ＬＴＥにおける物理層、媒体アクセス制御層、Ｌ３シグナリング、及び運用及び保守を制御するように構成されている。中間無線周波数サブシステムはベースバンド信号、中間周波数信号、及び無線周波数信号間の変換を実装し、ＬＴＥ無線受信信号を復調し、送信された信号を変調し、送信された信号の電力を増幅する。アンテナサブシステムは、基地局の無線周波数モジュールに接続されているアンテナ及びフィーダ、及びＧＲＳ受信カードに接続されているアンテナ及びフィーダを含み、無線エアーインタフェース信号を受信及び送信するように構成されている。統合されたサブシステムはベースバンドサブシステム及び中間サブシステムをサポートし、構造、電源、及び環境モニタリング機能を提供する。
【００３６】
ベースバンドサブシステムは図３に示されてよい。例えば、インターネットを閲覧するために、携帯電話は基地局を介してコアネットワークにアクセスし、コアネットワークを介してインターネットにアクセスする必要がある。インターネットのデータは、コアネットワークと基地局との間のインタフェースを通してベースバンド部に伝送される。データは、ＰＤＣＰ、ＲＬＣ、及びＭＡＣ層処理、エンコーディング、及びベースバンド部に対する変調のような処理を受け、そして無線周波数部分に供給されてユーザ機器に伝送される。ベースバンド及び無線周波数は、ＣＰＲＩインタフェースを用いて互いに接続されてよい。加えて、現在、無線周波数部分は光ファイバを用いて遠くに配置されてよい。例えば、無線周波数部分は遠くに配置されたＲＲＵであってよい。本発明の実施形態におけるデータ伝送方法の段階は、無線周波数を用いてベースバンドにより実行されてよい。加えて、受信及び送信の段階は、アンテナ（例えば、エアーインタフェース）を用いて実装される。
【００３７】
本発明の実施形態におけるユーザ機器と基地局との間のインタフェースは、ユーザ機器と基地局とが互いに通信するために用いられるエアーインタフェースとして理解されてもよく、Ｕｕインタフェースと称されてもよい。
【００３８】
図４は、本発明の実施形態が適用されたユーザ機器の概略構造図である。ユーザ機器は、車両、携帯電話、タブレットコンピュータ、またはノートブックコンピュータなどであってよい。本発明のこの実施形態において、ユーザ機器が携帯電話である例を用いて説明を提供する。図４は、本発明の実施形態に関連する携帯電話の部分構造のブロック図である。
【００３９】
図４に示されるように、ユーザ機器は、メモリ、プロセッサ、無線周波数（Ｒａｄｉｏ  Ｆｒｅｑｕｅｎｃｙ、ＲＦ）回路、及び電源のような構成要素を含む。当業者であれば、図４に示される構造はユーザ機器に対する限定を構成せず、ユーザ機器は図中に示される構成要素より多い又はより少ない構成要素を含み、いくつかの構成要素を組み合わせ、異なる構成要素の配置を有してよいことが理解できる。
【００４０】
以下は、図４を参照してユーザ機器の構成要素を詳細に説明する。
【００４１】
メモリは、ソフトウェアプログラム及びモジュールを記憶するように構成されてよい。プロセッサは、メモリに記憶されたソフトウェアプログラム及びモジュールを実行して、ユーザ機器の様々な機能及びアプリケーションを実行し、データ処理を実行する。メモリは主に、プログラム記憶領域及びデータ記憶領域を含んでよい。プログラム記憶領域は、オペレーティングシステム、及び少なくとも１つの機能が必要とするアプリケーションプログラムなどを記憶してよい。データ記憶領域は、ユーザ機器の使用に基づいて形成されるデータなどを記憶してよい。加えて、メモリは高速ランダムアクセスメモリを含んでよく、非揮発性メモリなどをさらに含んでよい。
【００４２】
プロセッサは、ユーザ機器の制御センタであり、様々なインタフェース及び回線を用いて、ユーザ機器全体の異なる部分を接続する。プロセッサは、メモリに記憶されているソフトウェアプログラム及び／又はモジュールを動作させる又は実行することと、メモリにおけるデータを呼び出すこととでユーザ機器の様々な機能を実行してデータを処理することにより、ユーザ機器の全体的モニタリングを実装する。任意選択的に、プロセッサは１又は複数の処理ユニットを含んでよい。好ましくは、プロセッサはアプリケーションプロセッサ及びモデムプロセッサを統合してよい。アプリケーションプロセッサは主に、オペレーティングシステム、ユーザインタフェース及びアプリケーションプログラムなどを処理する。モデムプロセッサは主に、無線通信を処理する。
【００４３】
無線周波数（Ｒａｄｉｏ  Ｆｒｅｑｕｅｎｃｙ、ＲＦ）回路は、情報受信及び送信プロセス又は通話プロセスにおける信号を受信及び送信するように構成されてよい。一般に、ＲＦ回路はアンテナ、少なくとも１つ増幅器、トランシーバ、カプラ、低雑音増幅器、及びデュプレクサなどを含むが、それらに限定されるものではない。加えて、ＲＦ回路は、無線通信を用いてネットワーク及び別のデバイスとさらに通信してよい。無線通信は、移動体通信のためのグローバルシステム、一般的パケット無線サービス、符号分割多重アクセス、ワイドバンド符号分割多重アクセス、ロングタームエボリューション、ｅメール、及びショートメッセージサービスなどを含む任意の通信標準又はプロトコルを用いてよいが、それらに限定されるものではない。
【００４４】
ユーザ機器はさらに、各部分に電力を供給する電源を含んでよい。好ましくは、電源は電力管理システムを用いてプロセッサに論理的に接続され、電力管理システムを用いて充電、放電、及び電力消費管理のような機能を実装してよい。
【００４５】
示されてはいないが、ユーザ機器はさらに、入力ユニット、表示ユニット、センサモジュール、オーディオモジュール、ＷｉＦｉモジュール、及びブルートゥースモジュールなどを含んでよい。詳細はここで説明しない。
【００４６】
ユーザ機器（ＵＥ）がランダムアクセスを実行する必要がある場合、選択されたリソースに対してランダムアクセスを実行するために、ＵＥは最初にリソースを選択する必要がある。アクセスリソースが正確且つ適切に選択されているかは、ＵＥによるランダムアクセス実行の成功率に大いに影響する。先行技術においては、システムメッセージ及び同期信号はアンカーキャリア上で搬送されるため、ＵＥはアンカーキャリア上のナローバンド基準信号受信電力（ＮＲＳＲＰ）を測定し、ＮＲＳＲＰに基づいて、ＵＥが位置する環境のカバレッジステータスを決定し、アンカーキャリア上でアクセスを実行するための適切なリソースを選択する。ＵＥがアンカーキャリアを検出する方式は、先行技術に開示されている。例えば、ＵＥは、セル識別又はセル検索を用いてアンカーキャリアを検出してよい。本発明のこの実施形態において、ＵＥはアンカーキャリア上でナローバンド基準信号受信電力を測定するが、ナローバンド基準信号の送信は具体的に限定されない。
【００４７】
しかしながら、ユーザ機器（ＵＥ）が非アンカーキャリア上でランダムアクセスを開始する必要がある場合、ＵＥは、アンカーキャリア上で測定されるナローバンド基準信号受信電力とシステムメッセージから読み取られるカバレッジレベル閾値とを比較することで、ＵＥのターゲットカバレッジレベルを決定する必要があり、それによりカバレッジレベルに基づいて、ランダムアクセスに用いられるリソースを選択し、リソース上でランダムアクセスを開始する。アンカーキャリア上のアップリンク品質は非アンカーキャリア上のアップリンク品質と完全に同等ではなく、ＮＢ‐ＩｏＴシステムにおけるＵＥの測定精度は比較的低いため、アンカーキャリア上でランダムアクセスを実行するために用いられる方法及びパラメータ（例えば、カバレッジレベル閾値、測定周期（８００ｍｓ／１６００ｍｓ）及び／又は伝送電力）に完全に従って、非アンカーキャリア上でランダムアクセスを実行したならば、非アンカーキャリア上でランダムアクセスが実行される場合、ＵＥはランダムアクセスリソースを正確に選択することができない。結果として、ランダムアクセスの成功率は比較的に低くなる。本発明の実施形態において提供されている方法は、ＵＥがアンカーキャリア上でランダムアクセスを実行する方法に基づいて改善されることで、ＵＥが可能な限り正確にリソースを選択することができることにより、非アンカーキャリア上でランダムアクセス実行の成功率を増加させる。
【００４８】
図５は、本発明の実施形態に係るランダムアクセス方法のフローチャートである。ランダムアクセス方法は、図１に示されるＮＢ‐ＩｏＴにおけるユーザ機器ＵＥに適用される。図５を参照すると、当該方法は以下のいくつかの段階を含む。
【００４９】
段階２０１．ＵＥが、第１の測定周期Ｔ１において、アンカーキャリア上で基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）Ｗ１を測定する。
【００５０】
ＮＢ‐ＩｏＴにおけるキャリアは、それぞれアンカーキャリア（Ａｎｃｈｏｒ  Ｃａｒｒｉｅｒ）及び非アンカーキャリア（Ｎｏｎ‐ａｎｃｈｏｒ  Ｃａｒｒｉｅｒ）の２つのカテゴリに分割されてよく、アンカーキャリアは、ナローバンド主同期信号（Ｎａｒｒｏｗｂａｎｄ  Ｐｒｉｍａｒｙ  Ｓｙｎｃｈｒｏｎｉｚａｔｉｏｎ  Ｓｉｇｎａｌ、ＮＰＳＳ）及びナローバンド副同期信号（Ｎａｒｒｏｗｂａｎｄ  Ｐｒｉｍａｒｙ  Ｓｙｎｃｈｒｏｎｉｚａｔｉｏｎ  Ｓｉｇｎａｌ、ＮＳＳＳ）を提供し、物理ブロードキャストチャネル（Ｎａｒｒｏｗｂａｎｄ  Ｐｈｙｓｉｃａｌ  Ｂｒｏａｄｃａｓｔ  Ｃｈａｎｎｅｌ、ＮＰＢＣＨ）及びシステム情報を搬送するキャリア上である。加えて、ＵＥはセル識別又はセル検索のような方法を用いてアンカーキャリアを検出してよい。ＮＢ‐ＩｏＴにおける複数のキャリア上のうち、アンカーキャリア以外のキャリアは非アンカーキャリアと称される。
【００５１】
加えて、本発明のこの実施形態において、基準信号受信電力ＲＳＲＰは、アンカーキャリア上でＵＥにより測定された、ナローバンド基準信号（Ｎａｒｒｏｗｂａｎｄ  Ｒｅｆｅｒｅｎｃｅ  Ｓｉｇｎａｌ、ＮＲＳ）のナローバンド基準信号受信電力（Ｎａｒｒｏｗｂａｎｄ  Ｒｅｆｅｒｅｎｃｅ  Ｓｉｇｎａｌ  Ｒｅｃｅｉｖｅｄ  Ｐｏｗｅｒ、ＮＲＳＲＰ）である。
【００５２】
本発明のこの実施形態において、第１の測定周期Ｔ１は予め設定された測定周期である。ＵＥは、設定された測定周期に基づいてＮＲＳＲＰを測定する。任意選択的に、Ｔ１は標準又はプロトコルにおいて指定されてもよく、ＵＥに対してアクセスネットワークデバイスにより前もって通知されてもよい。標準又はプロトコルにおいて指定されるＴ１を用いてシグナリングを低減することができ、それにより通信効率を改善させる。
【００５３】
具体的に、第１の測定周期Ｔ１に対応する値は異なる条件により変わる。以下において、第１の測定周期Ｔ１の異なる条件は、ＵＥの無線環境に基づいて２つの条件に分割されてよい。詳細は以下で説明される。ＵＥの無線環境は、ナローバンド同期信号の信号対干渉プラス雑音比及びナローバンド基準信号の信号対干渉プラス雑音比に基づいて説明されてよい。
【００５４】
第１の条件は、ＵＥの無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすことである。
【００５５】
第１の条件において、ＵＥに対して間欠受信（Ｄｉｓｃｏｎｔｉｎｕｏｕｓ  Ｒｅｃｅｐｔｉｏｎ、ＤＲＸ）が構成されていない場合、第１の測定周期Ｔ１は８００ミリ秒（ｍｓ）より大きくてよく、例えば、Ｔ１は１０００ｍｓ、１２００ｍｓ、１４００ｍｓ、又は１６００ｍｓなどに等しくてよく、又はＵＥに対して間欠受信が構成されている場合、第１の測定周期Ｔ１は間欠受信周期の８倍又は間欠受信周期の１０倍に等しい。先行技術では、第１の条件において、ＵＥに対して間欠受信が構成されていない場合、ＵＥが基準信号受信電力を測定する第１の測定周期Ｔ１は８００ｍｓであり、又はＵＥに対して間欠受信が構成されている場合、第１の測定周期Ｔ１は間欠受信周期の５倍に等しいことをここで注意すべきである。
【００５６】
第２の条件は、ＵＥの無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たすことである。ナローバンド同期信号の信号対干渉プラス雑音比が−６ｄＢより大きいか又はそれに等しく、ナローバンド基準信号の信号対干渉プラス雑音比が−６ｄＢより大きいか又はそれに等しいという限定が第１の条件にあったため、第２の条件の上記の説明は、ナローバンド同期信号の信号対干渉プラス雑音比が−６ｄＢ未満であり、ナローバンド基準信号の信号対干渉プラス雑音比が−６ｄＢ未満であることを満たすとことであると解釈されるべきであり、第２の条件が第１の条件と重複しなくなり、それにより衝突が回避される。
【００５７】
第２の条件において、ＵＥに対して間欠受信が構成されていない場合、第１の測定周期Ｔ１は１６００ｍｓより大きくてよく、例えば、Ｔ１は２０００ｍｓ、２４００ｍｓ、２８００ｍｓ、又は３２００ｍｓなどに等しく、又はＵＥに対して間欠受信が構成されている場合、第１の測定周期Ｔ１は間欠受信周期の８倍又は間欠受信周期の１０倍に等しい。先行技術では、第２の条件において、ＵＥに対して間欠受信が構成されていない場合、第１の測定周期Ｔ１は１６００ｍｓであり、又はＵＥに対して間欠受信が構成されている場合、第１の測定周期Ｔ１は間欠受信周期の５倍に等しい。
【００５８】
間欠受信は、ＵＥが受信を断続的に実行することを意味するということを注意すべきである。具体的には、ＵＥが指定期間にわたって受信を実行した後、ＵＥは指定された時間のスリープ状態になり、その後、指定期間にわたって受信を実行し続け、そして指定期間にわたって睡スリープ状態になることを繰り返す。間欠受信周期は、ＵＥが受信を実行する指定期間にわたって及びＵＥが睡眠を行う時間の特定のセグメントである。間欠受信周期の具体的の値については、対応する通信シナリオにおけるアクセスネットワークデバイスにより指定される値を参照してよいことをさらに注意すべきである。本発明は具体的な限定を設けない。
【００５９】
加えて、信号の信号対干渉プラス雑音比は、信号の所望信号の強度と測定された干渉信号の強度との比である。干渉信号は干渉及び雑音を含む。干渉は、現在のシステムにおける他のセルからの干渉及び異なるシステムからの干渉を含み、雑音は信号の帯域幅及びＵＥの雑音係数に関連する。
【００６０】
本発明のこの実施形態において指定される第１の測定周期Ｔ１に基づいてＵＥが基準信号受信電力Ｗ１を測定する場合、ＵＥが行う基準信号受信電力の測定の精度が改善され得ることで、ＵＥがＷ１に基づいて行うカバレッジレベルの決定及びランダムアクセスリソースの選択の正確度が改善され得る。それにより、ＵＥが行う非アンカーキャリア上でランダムアクセスの実行の成功率は増加する。
【００６１】
例えば、第１の条件において、ＵＥに対して間欠受信が構成されていない場合、ＲＳＲＰを測定する時間を、測定周期を８００ｍｓ又は先行技術において指定される間欠受信周期の５倍に、例えば、値１０００ｍｓ又は上記に提供される異なる条件における間欠受信周期の８倍まで適切に延長することにより延長して、ＲＳＲＰの測定における精度をさらに改善し得る。非アンカーキャリアは、周波数領域において比較的アンカーキャリアに近い。したがって、ＵＥがアンカーキャリアにおけるＲＳＲＰ測定の精度を改善したという前提で、非アンカーキャリア上でランダムアクセスを実行するためのリソースの選択に当該測定結果が適用される場合、カバレッジレベル選択の正確度が改善し、それによりリソース選択の正確度が改善し、さらに非アンカーキャリア上でランダムアクセスの実行の成功率が増加する。テスト及び分析を通じて、先行技術と比較して、測定周期の延長は、ランダムアクセスの成功率を増加させると同時に、具体的な電力消費も増加させるということが学習される。しかしながら、測定周期は限定の範囲内、例えば本発明のこの実施形態において上記に提供されている値まで延長される。これはランダムアクセス失敗による再アクセス又は再送により発生する電力消費を低減する。したがって、先行技術における測定周期構成と比較すると、本発明のこの実施形態において提供される方法は、全体の電力消費を増加させることなく、非アンカーキャリア上でランダムアクセス実行の成功率を増加させることができる。
【００６２】
２０２．ＵＥがＷ１に基づいて第１のカバレッジレベルを決定し、第１のカバレッジレベルに基づいて、第１リソースを決定する。ＵＥは非アンカーキャリア上でランダムアクセスを実行するために第１リソースを用いる。
【００６３】
具体的に、ＵＥは、Ｗ１と少なくとも１つのカバレッジレベル閾値との比較結果に基づいて第１のカバレッジレベル閾値を決定する。ＵＥは、少なくとも１つのカバレッジレベル閾値をアクセスネットワークデバイスから受信してよい、あるいは、増分値は予め構成されてよく、ＵＥは、アクセスネットワークデバイスから受信した少なくとも１つのカバレッジレベル閾値及び増分値に基づいて、Ｗ１との比較対象となる少なくとも１つのカバレッジレベル閾値を決定する。予め構成された増分値は標準又はプロトコルにより指定されてよい。例えば、アクセスネットワークデバイスから受信される少なくとも１つのカバレッジレベル閾値の各々は増分値だけ増加して、少なくとも１つの新しいカバレッジレベル閾値を取得し、少なくとも１つの新しいカバレッジレベル閾値はＷ１と比較される。任意選択的に、増分値は０．５×Ｍであってよく、Ｍは１より大きいか又はそれに等しい正の整数である。言い換えれば、増分値は０．５ｄＢの整数倍数、例えば、０．５ｄＢ、１ｄＢ、又は１．５ｄＢである。本発明のこの実施形態は、これに限定を設けない。
【００６４】
さらに任意選択的に、設定は標準又はプロトコルにおいて予め定められてよい。設定は複数の閾値を含む。アクセスネットワークデバイスは、複数の閾値から少なくとも１つの閾値をカバレッジレベル閾値として決定し、決定されたカバレッジレベル閾値をＵＥに送信してよい。例えば、設定は［−１４０，−４４］ｄＢｍであってよく、段階は１ｄＢである。具体的には、設定は−１４０、−４４、及び−１４０と−４４との間の全ての整数を含む。アクセスネットワークデバイスにより決定される少なくとも１つの閾値は、−１２０ｄＢｍ及び−２０ｄＢｍであってよい。
【００６５】
例えば、図６に示されるように、少なくとも１つのカバレッジレベル閾値がアクセスネットワークデバイスから受信される場合、少なくとも１つのカバレッジレベル閾値はＸ及びＹを含み、ＸはＹより大きい。そして、３つのカバレッジレベルはカバレッジレベル閾値Ｘ及びＹに基づく分割を通じて取得されてよい。Ｘより大きいか又はそれに等しいカバレッジレベルはカバレッジレベル０として決定され、Ｙより大きいか又はそれに等しくＸ未満のカバレッジレベルはカバレッジレベル１として決定され、Ｙ未満のカバレッジレベルはカバレッジレベル２として決定される。Ｗ１がＸに等しいかＸより大きい場合、第１のカバレッジレベルはカバレッジレベル０と決定される。Ｗ１がＹに等しいかＹより大きくＸ未満の場合、第１のカバレッジレベルはカバレッジレベル１と決定される。又は、Ｗ１がＹ未満の場合、第１のカバレッジレベルはカバレッジレベル２と決定される。
【００６６】
別の例の場合、図７に示されるように、ＵＥがアクセスネットワークデバイスから受信される少なくとも１つのカバレッジレベル閾値及び増分値に基づいて少なくとも１つのカバレッジレベル閾値を決定する場合、受信される少なくとも１つのカバレッジレベル閾値はＸ及びＹを含み、ＸはＹより大きく、増分値はΔである。そして、３つのカバレッジレベルはＸ及びＹに基づく分割を通じて取得されてよい。（Ｘ＋Δ）より大きいか又はそれに等しいカバレッジレベルはカバレッジレベル０として決定され、（Ｙ＋Δ）より大きいか又はそれに等しく（Ｘ＋Δ）未満のカバレッジレベルはカバレッジレベル１として決定され、（Ｙ＋Δ）未満のカバレッジレベルはカバレッジレベル２として決定される。Ｗ１が（Ｘ＋Δ）に等しいか（Ｘ＋Δ）より大きい場合、第１のカバレッジレベルはカバレッジレベル０と決定される。Ｗ１が（Ｙ＋Δ）に等しいか（Ｙ＋Δ）より大きく（Ｘ＋Δ）未満の場合、第１のカバレッジレベルはカバレッジレベル１と決定される。又は、Ｗ１が（Ｙ＋Δ）未満の場合、第１のカバレッジレベルはカバレッジレベル２と決定される。
【００６７】
ＵＥがＷ１に基づいて第１のカバレッジレベルを決定した後、ＵＥは、第１のカバレッジレベルに対応する時間周波数リソースのサイズに基づいて、非アンカーキャリア上でランダムアクセスを実行するために用いられる第１リソースを決定してよい。
【００６８】
本発明のこの実施形態において、アクセスネットワークデバイスから受信される少なくとも１つのカバレッジレベル閾値及び増分値に基づいて少なくとも１つのカバレッジレベル閾値が決定される場合、周波数領域においてアンカーキャリアが非アンカーキャリアに比較的近いが、差は依然として存在するということに注意すべきである。当然、アンカーキャリア上でＲＳＲＰを測定した結果が、非アンカーキャリア上でランダムアクセスの間のＵＥのカバレッジレベルを決定するために用いられる場合も、具体的な誤差が存在する。本発明のこの実施形態において、増分値が設定されて、非アンカーキャリア上でランダムアクセスが実行される場合にカバレッジレベル閾値を増加させる。アンカーキャリア上でのランダムアクセスと比較すると、これにより、ＵＥはＵＥのカバレッジ環境を可能な限り正確に予測し、より低いカバレッジレベルに適切な対応するリソースを選択し、カバレッジレベル選択の正確度を改善することができ、それによりリソース選択の正確度を改善し、さらに非アンカーキャリア上でランダムアクセス実行の成功率を増加させる。テスト及び分析を通じて、増加したカバレッジレベル閾値も先行技術と比較してより多くのリソースを必要とし、ランダムアクセスの成功率が増加すると同時により多くのリソースが消費されることが分かる。しかしながら、閾値は適切に、例えば、本発明のこの実施形態において上記に提供されている値まで増加する。これはランダムアクセス失敗による再アクセス又は再送により発生する電力消費及びより多くの必要リソースを低減する。したがって、先行技術におけるカバレッジレベル閾値設定と比較すると、本発明のこの実施形態において提供される方法は、全体の電力消費及び全体のリソース需要を増加させることなく、非アンカーキャリア上でランダムアクセス実行の成功率を増加させることができる。
【００６９】
さらに、図８を参照すると、方法は段階２０３をさらに含む。
【００７０】
２０３．ＵＥは第１リソースを用いて第１伝送電力Ｐ１で非アンカーキャリア上でランダムアクセスを実行し、第１伝送電力Ｐ１は、ＵＥが、最小数の繰り返しでランダムアクセスのナローバンドプリアンブル（Ｎａｒｒｏｗｂａｎｄ  Ｐｒｅａｍｂｌｅ）を送信する伝送電力であり、Ｐ１は最大伝送電力Ｐｍａｘ及び第２伝送電力Ｐ２のうちのより低い値であり、最大伝送電力Ｐｍａｘはネットワークにより構成される最大伝送電力であり、第２伝送電力Ｐ２は予想受信電力Ｐｈ及び推定ダウンリンクパスロスＰＬの合計に電力増分ΔＰを追加することにより取得され、Ｐｈはネットワークにより構成される予想ナローバンドプリアンブル受信電力であり、ＰＬはＵＥがアクセスしたサービングセルの、ＵＥにより推定されたダウンリンクパスロスであり、ΔＰは正の値である。
【００７１】
ＵＥが第１リソースを用いてランダムアクセスを実行する場合、ＵＥは、システムメッセージにおいて構成される繰り返しの数に基づいて、ランダムアクセスのナローバンドプリアンブルを送信してよい。繰り返しの数は、最小数の繰り返し、及び最小数の繰り返し以外の他の繰り返しの数を含む。異なる繰り返しの数でランダムアクセスのナローバンドプリアンブルをＵＥが送信する場合、ＵＥにより用いられる伝送電力は異なる。具体的に、最小数の繰り返し以外の繰り返しの数でＵＥがナローバンドプリアンブルを送信する場合、ＵＥは最大伝送電力Ｐｍａｘでナローバンドプリアンブルを送信する。最小数の繰り返しでＵＥがナローバンドプリアンブルを送信する場合、ＵＥは第１伝送電力Ｐ１でナローバンドプリアンブルを送信する。ＵＥが第１リソースを用いて第１伝送電力Ｐ１でランダムアクセスを実行することは、ＵＥが最小数の繰り返しでナローバンドプリアンブルを送信してランダムアクセスを実行することを意味する。
【００７２】
具体的に、最小数の繰り返しでＵＥがランダムアクセスのナローバンドプリアンブルを送信する場合、ＵＥは第１伝送電力Ｐ１でナローバンドプリアンブルを送信する。Ｐ１は以下の式（１）に基づいて決定されてよい。式において、ｍｉｎは最小値が選択されたことを表す。
【数１】
2020511852.tif 000003
【００７３】
本発明の実施形態において、ΔＰは０．５×Ｎであり、Ｎは１より大きいか又はそれに等しい正の整数である。例えば、Ｎは１、２、又は３などであってよい。そしてΔＰは０．５ｄＢ、１ｄＢ、又は１．５ｄＢなどであってよい。本発明のこの実施形態は、これに限定を設けない。
【００７４】
周波数領域において、アンカーキャリアは非アンカーキャリアに比較的近いが、アンカーキャリア上でＲＳＲＰをＵＥが測定した結果が、非アンカーキャリア上でランダムアクセスのカバレッジレベルを決定し、ランダムアクセスを実行するためのリソースを選択するために用いられる場合、カバレッジレベル決定においては、具体的な誤差が確かに存在することをここで注意すべきである。そのような誤差が原因でＵＥが非アンカーキャリア上でのランダムアクセスの実行に失敗し、その後の再アクセス又は再送を引き起こす可能性は高い。本発明のこの実施形態で提供される方法おいて、増分ΔＰが設定されるため、ＵＥの伝送電力は適切に増加することができ、それにより、ＵＥによる非アンカーキャリア上でのランダムアクセス実行の成功率が増加する。同様に、増加した伝送電力は先行技術と比較してＵＥの電力消費を増加させるが、ランダムアクセス失敗による再アクセス又は再送により発生する電力消費も低減する。
【００７５】
したがって、ＵＥが非アンカーキャリア上でランダムを実行する場合、本発明のこの実施形態においては、ナローバンドプリアンブルを送信するために、ＵＥにより用いられる伝送電力が増加して、アクセスネットワークデバイスにおける信号の受信信号対干渉プラス雑音比を増加させることにより、ＵＥが非アンカーキャリア上でランダムアクセスの実行の成功率を増加させる。
【００７６】
本発明のこの実施形態における段階２０１から段階２０３は、ランダムアクセスの成功率を増加させるための方法をそれぞれ提供することを注意すべきである。３つの段階における方法は、個別に用いられてもよく、組み合わせられてもよい。本発明のこの実施形態は、これに具体的な限定を設けない。
【００７７】
本発明のこの実施形態で提供されるランダムアクセス方法において、ＵＥは、第１の測定周期ＴＩにおいて基準信号受信電力Ｗ１を測定する。Ｔ１は、先行技術において構成される測定周期と比較して適切に延長された測定周期である。したがって、Ｗ１の測定における精度は比較的高い。そして、ＵＥはＷ１及び少なくとも１つのカバレッジレベルに基づいて第１のカバレッジレベルを決定する。少なくとも１つのカバレッジレベルが、アクセスネットワークデバイスにより送信される少なくとも１つのカバレッジレベル閾値及び増分値に基づいて取得される場合、ＵＥによる第１のカバレッジレベルの決定の正確度は改善され得る。それにより、第１リソースの選択における正確度が改善される。最後に、ＵＥが第１リソースを用いて第１伝送電力でランダムアクセスを実行して、アクセスネットワークデバイスの受信信号対干渉プラス雑音比を増加させる。したがって、本発明のこの実施形態において、Ｗ１の測定における精度を改善させる方法、第１リソースの選択における正確度を改善する方法、及びアクセスネットワークデバイスの受信信号対干渉プラス雑音比を増加させる方法を用いて、ＵＥによる非アンカーキャリア上でのランダムアクセス実行の成功率を増加させる。
【００７８】
上述では主に、ネットワーク要素間のインタラクションの観点から本発明の実施形態において提供される解決手段を説明する。上述の機能を実装するためには、ユーザ機器及びアクセスネットワークデバイスのようなネットワーク要素は、それぞれの機能を実行するための対応するハードウェア構造及び／又はソフトウェアモジュールを含むことが理解できる。当業者であれば、本明細書において開示されている実施形態を参照して説明される例のネットワーク要素及びアルゴリズム段階は、本発明におけるハードウェア、ハードウェアの組み合わせ、及びコンピュータソフトウェアにより実装されてよいことを簡単に認識できる。ある機能がハードウェアによって実行されるのか、又はコンピュータソフトウェアで駆動するハードウェアによって実行されるのかは、技術的解決手段の特定アプリケーション及び設計制約条件で決まる。当業者であれば、異なる方法を使用して、説明された機能を特定のアプリケーションごとに実装し得るが、そのような実装が本発明の範囲を超えるものとみなされるべきではない。
【００７９】
本発明の実施形態において、ユーザ機器の機能モジュールは上述した方法例に基づいて分割されてよい。例えば、各機能モジュールは各機能によって分割されてよく、２またはより多くの機能は１つの処理モジュールに統合されてよい。統合されたモジュールは、ハードウェアの形態で実装されてもよく、又はソフトウェア機能モジュールの形態で実装されてもよい。本発明のこの実施形態においてモジュール分割は例であり、論理的機能分割に過ぎないことを注意すべきである。実際の実装において、別の分割方式が用いられてよい。
【００８０】
各機能モジュールが各機能によって分割される場合、図９は上述の実施形態におけるユーザ機器の可能な概略構造図である。ユーザ機器３００は測定ユニット３０１及び決定ユニット３０２を含む。測定ユニット３０１は図５又は図８における段階２０１を実行するように構成されており、決定ユニット３０２は図５又は図８における段階２０２を実行するように構成されている。さらに、ユーザ機器３００は図８における段階２０３を実行するように構成されているアクセスユニット３０３をさらに含む。上述した方法実施形態における各段階の全ての関連内容は対応する機能モジュールの機能説明に引用されてよい。詳細はここで再度説明しない。
【００８１】
ハードウェア実装において、測定ユニット３０１及び決定ユニット３０２はプロセッサであってよく、アクセスユニット３０３は送信機であってよい。送信機及び受信機はトランシーバを構成する。
【００８２】
図１０は、本発明の実施形態に係る上述の実施形態におけるユーザ機器３１０の可能な論理的構造の概略図である。ユーザ機器３１０はプロセッサ３１２、トランシーバ３１３、メモリ３１１、及びバス３１４を含む。プロセッサ３１２、トランシーバ３１３、及びメモリ３１１はバス３１４を用いて互いに接続される。本発明のこの実施形態において、プロセッサ３１２はユーザ機器３１０の動作を制御及び管理するように構成されている。例えば、プロセッサ３１２は図５又は図８における段階２０１及び段階２０２を実行するように構成されている、及び／又は本明細書において説明される技術の別のプロセスを実行するように構成されている。トランシーバ３１３は通信中のユーザ機器３１０をサポートするように構成される。メモリ３１１はユーザ機器３１０のプログラムコード及びデータを記憶するように構成されている。
【００８３】
プロセッサ３１２は中央処理装置、汎用プロセッサ、デジタル信号プロセッサ、特定用途向け集積回路、フィールドプログラマブルゲートアレイ又は別のプログラマブル論理デバイス、トランジスタ論理デバイス、ハードウェア構成要素、またはそれらの任意の組み合わせであってよい。プロセッサ３１２は、本願において開示されている内容を参照して説明される様々な例示的な論理ブロック、モジュール、及び回路を実装又は実行し得る。あるいは、プロセッサは、コンピュータ処理機能を実装するプロセッサの組み合わせ、例えば、１又は複数のマイクロプロセッサの組み合わせ、又はデジタル信号プロセッサ及びマイクロプロセッサの組み合わせであってよい。バス３１４はペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス、及び拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、及び制御バスなどに分類されてよい。表示を容易にするために、図１０においてバスを表するためには１つの太線のみが用いられるが、これは１つのみのバスが存在する又は１つの種類のみのバスが存在することを意味するものではない。
【００８４】
本発明の別の実施形態において、コンピュータ可読記憶媒体がさらに提供される。コンピュータ可読記憶媒体はコンピュータ実行可能命令を記憶する。デバイスの少なくとも１つのプロセッサがコンピュータ実行可能命令を実行する場合、デバイスは図５又は図８において提供されるランダムアクセス方法を実行する。
【００８５】
本発明の別の実施形態において、コンピュータプログラムプロダクトがさらに提供される。コンピュータプログラムプロダクトはコンピュータ実行可能命令を含む。コンピュータ実行可能命令はコンピュータ可読記憶媒体に記憶される。デバイスの少なくとも１つのプロセッサが、コンピュータ可読記憶媒体からコンピュータ実行可能命令を読み取り得る。少なくとも１つのプロセッサがコンピュータ実行可能命令を実行して、デバイスに、図５又は図８において提供されるランダムアクセス方法を実行させる。
【００８６】
本発明のこの実施形態において、ユーザ機器は、第１の測定周期ＴＩにおいて基準信号受信電力Ｗ１を測定する。Ｔ１は、先行技術において構成される測定周期と比較して適切に延長された測定周期である。したがって、Ｗ１の測定における精度は比較的高い。そして、ＵＥはＷ１及び少なくとも１つのカバレッジレベルに基づいて第１のカバレッジレベルを決定する。少なくとも１つのカバレッジレベルは、予め構成されたカバレッジレベル閾値に閾値増分を追加することにより取得され、それによりＵＥによる第１リソースの選択の正確度を改善する。最後に、ＵＥが第１リソースを用いて第１伝送電力でランダムアクセスを実行して、アクセスネットワークデバイスの受信信号対干渉プラス雑音比を増加させる。したがって、本発明のこの実施形態において、Ｗ１の測定における精度を改善させる方法、第１リソースの選択における正確度を改善する方法、及びアクセスネットワークデバイスの受信信号対干渉プラス雑音比を増加させる方法を用いて、ＵＥによる非アンカーキャリア上でのランダムアクセス実行の成功率を増加させる。
【００８７】
最後に、上記の説明は本願の特定の実装に過ぎないが、本願の保護範囲を限定することを意図しているものではないことを注意すべきである。本願において開示される技術的範囲内の任意の変更又は置換は、本願の保護範囲に含まれるものとする。したがって、本願の保護範囲は、請求項の保護範囲の対象になるものとする。
【図１】
2020511852.tif 000004
【図２】
2020511852.tif 000005
【図３】
2020511852.tif 000006
【図４】
2020511852.tif 000007
【図５】
2020511852.tif 000008
【図６】
2020511852.tif 000009
【図７】
2020511852.tif 000010
【図８】
2020511852.tif 000011
【図９】
2020511852.tif 000012
【図１０】
2020511852.tif 000013
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
ランダムアクセス方法であって、
第１の測定周期Ｔ１において、アンカーキャリア上で基準信号受信電力（ＲＳＲＰ）Ｗ１を測定する段階と、
Ｗ１に基づいて第１のカバレッジレベルを決定する段階と、
前記第１のカバレッジレベルに基づいて第１リソースを決定する段階であって、前記第１リソースは、非アンカーキャリア上でランダムアクセスを実行するために用いられる、決定する段階とを備える、方法。
【請求項２】
第１の条件において、間欠受信（ＤＲＸ）が構成されていない場合、前記第１の測定周期Ｔ１は１０００ミリ秒、１２００ミリ秒、１４００ミリ秒、又は１６００ミリ秒であり、又は間欠受信が構成されている場合、Ｔ１は間欠受信周期の８倍又は間欠受信周期の１０倍に等しく、
前記第１の条件は、無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすこと、又は、
第２の条件において、間欠受信が構成されていない場合、前記第１の測定周期Ｔ１は２０００ミリ秒、２４００ミリ秒、２８００ミリ秒、又は３２００ミリ秒であり、又は間欠受信が構成されている場合、Ｔ１は間欠受信周期の８倍又は間欠受信周期の１０倍に等しく、
前記第２の条件は、無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たすことである、請求項１に記載の方法。
【請求項３】
Ｗ１に基づいて第１のカバレッジレベルを決定する前記段階は、
Ｗ１と少なくとも１つのカバレッジレベル閾値とを比較した結果に基づいて前記第１のカバレッジレベルを決定する段階であって、前記少なくとも１つのカバレッジレベル閾値をアクセスネットワークデバイスから受信する、又は、アクセスネットワークデバイスから受信した少なくとも１つのカバレッジレベル閾値及び増分値に基づいて前記少なくとも１つのカバレッジレベル閾値を決定し、前記増分値は予め構成されている、決定する段階を含む、請求項１又は２に記載の方法。
【請求項４】
前記第１リソースを用いて第１伝送電力Ｐ１で前記非アンカーキャリア上でランダムアクセスを実行する段階をさらに備える方法であって、
Ｐ１は、最小数の繰り返しで前記ランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈは前記ネットワークにより構成される予想ナローバンドプリアンブル受信電力であり、ＰＬはアクセスしたサービングセルの、推定されたダウンリンクパスロスであり、ΔＰは正の値である、
請求項１から３のいずれか１つに記載の方法。
【請求項５】
ΔＰは０．５×Ｎであり、Ｎは１より大きいか又はそれに等しい正の整数である、請求項４に記載の方法。
【請求項６】
ユーザ機器（ＵＥ）であって、
アンカーキャリア上で基準信号受信電力（ＲＳＲＰ）Ｗ１を、第１の測定周期Ｔ１において測定するように構成されている測定ユニットと、
Ｗ１に基づいて第１のカバレッジレベルを決定するように構成されている決定ユニットと、
を備え、
前記決定ユニットはさらに、前記第１のカバレッジレベルに基づいて第１リソースを決定するように構成されており、前記第１リソースは、前記ＵＥが非アンカーキャリア上でランダムアクセスを実行するために用いられる、ユーザ機器。
【請求項７】
第１の条件において、前記ユーザ機器に対して間欠受信（ＤＲＸ）が構成されていない場合、前記第１の測定周期Ｔ１は１０００ミリ秒、１２００ミリ秒、１４００ミリ秒、又は１６００ミリ秒であり、又は前記ユーザ機器に対して間欠受信が構成されている場合、Ｔ１は間欠受信周期の８倍又は間欠受信周期の１０倍に等しく、
前記第１の条件は、前記ユーザ機器の無線環境が、ナローバンド同期信号の信号対干渉プラス雑音比が−６ｄＢより大きいか又はそれに等しいこと、及びナローバンド基準信号の信号対干渉プラス雑音比が−６ｄＢより大きいか又はそれに等しいことを満たすことである、又は
第２の条件において、前記ユーザ機器に対して間欠受信が構成されていない場合、前記第１の測定周期Ｔ１は２０００ミリ秒、２４００ミリ秒、２８００ミリ秒、又は３２００ミリ秒であり、又は前記ユーザ機器に対して間欠受信が構成されている場合、Ｔ１は間欠受信周期の８倍又は間欠受信周期の１０倍に等しく、
前記第２の条件は、前記ユーザ機器の無線環境が、ナローバンド同期信号の信号対干渉プラス雑音比が−１５ｄＢより大きいか又はそれに等しいこと、及びナローバンド基準信号の信号対干渉プラス雑音比が−１５ｄＢより大きいか又はそれに等しいことを満たす、請求項６に記載のユーザ機器。
【請求項８】
前記決定ユニットは、
Ｗ１と少なくとも１つのカバレッジレベル閾値とを比較した結果に基づいて前記第１のカバレッジレベルを決定するように構成されており、前記ユーザ機器は、前記少なくとも１つのカバレッジレベル閾値をアクセスネットワークデバイスから受信するか、又は、前記ユーザ機器が、アクセスネットワークデバイスから受信した少なくとも１つのカバレッジレベル閾値及び増分値に基づいて前記少なくとも１つのカバレッジレベル閾値を決定し、前記増分値は予め構成されている、
請求項６又は７に記載のユーザ機器。
【請求項９】
前記第１リソースを用いて第１伝送電力Ｐ１で前記非アンカーキャリア上でランダムアクセスを実行するように構成されているアクセスユニットをさらに備えるユーザ機器であって、
Ｐ１は、前記ＵＥが、最小数の繰り返しで前記ランダムアクセスのナローバンドプリアンブルを送信する伝送電力であり、Ｐ１は最大伝送電力Ｐｍａｘ及び第２伝送電力Ｐ２のうちのより低い値であり、Ｐｍａｘはネットワークにより構成される最大伝送電力であり、Ｐ２は予想受信電力Ｐｈ及び推定ダウンリンクパスロスＰＬの合計に電力増分ΔＰを追加することにより取得され、Ｐｈは前記ネットワークにより構成される予想ナローバンドプリアンブル受信電力であり、ＰＬは前記ユーザ機器がアクセスしたサービングセルの、前記ユーザ機器が推定したダウンリンクパスロスであり、ΔＰは正の値である、
請求項６から８のいずれか１つに記載のユーザ機器。
【請求項１０】
ΔＰは０．５×Ｎであり、Ｎは１より大きいか又はそれに等しい正の整数である、請求項９に記載のユーザ機器。
【請求項１１】
メモリ及びプロセッサを備えるユーザ機器であって、前記メモリはコード及びデータを記憶し、前記プロセッサは前記メモリにおける前記コードを実行して、前記ユーザ機器が請求項１から５のいずれか１つに記載の前記ランダムアクセス方法を実行することを可能にする、ユーザ機器。
【請求項１２】
プロセッサに、請求項１から５のいずれか一項に記載の方法を実装させるための、コンピュータプログラム。
【手続補正２】
【補正対象書類名】明細書
【補正対象項目名】００２２
【補正方法】変更
【補正の内容】
【００２２】
上記に提供されている装置、コンピュータ記憶媒体、又はコンピュータプログラムプロダクトのうちいずれも、上記に提供されている対応する方法を実行するために用いられることが理解できる。したがって、装置、コンピュータ記憶媒体、又はコンピュータプログラムプロダクトの有益な効果については、上記に提供されている対応する方法における有益な効果を参照されたい。詳細はここで再度説明しない。
【手続補正３】
【補正対象書類名】明細書
【補正対象項目名】００３３
【補正方法】変更
【補正の内容】
【００３３】
図１は、本発明の実施形態に係るＮＢ‐ＩｏＴシステムの概略構造図である。ＮＢ‐ＩｏＴは、広域ネットワークにおいて低電力デバイスにセルラーデータ接続を提供し、低電力広域ネットワーク（Ｌｏｗ  Ｐｏｗｅｒ  Ｗｉｄｅ  Ａｒｅａ  Ｎｅｔｗｏｒｋ、ＬＰＷＡ）とも称されてよい。ＮＢ‐ＩｏＴは、セルラーネットワーク上に構成されており、１８０ＫＨｚ（すなわち、１つのＰＲＢ）より大きくない帯域幅のみを消費し、ＧＳＭ（登録商標）ネットワーク、ＵＭＴＳネットワーク、又はＬＴＥネットワークに直接配置されてよく、配置コストを低減し、スムーズなアップグレードを実装する。
【手続補正４】
【補正対象書類名】明細書
【補正対象項目名】００３４
【補正方法】変更
【補正の内容】
【００３４】
図１を参照すると、ＮＢ‐ＩｏＴシステムはアクセスネットワークデバイス１０１及びユーザ機器１０２を含んでよい。アクセスネットワークデバイス１０１は基地局であってよく、共有チャネルスケジューリング機能及びユーザ機器１０２に送信されたパケットデータの履歴に基づいてスケジューリングを設定する機能を提供する。スケジューリングとは、統計的多重化利得を取得するために、複数のユーザ機器１０２が伝送リソースを共有する場合、物理層リソースを効果的に割り当てるためのメカニズムが用いられることである。ユーザ機器１０２は、アクセスネットワークデバイス１０１への通信チャネルを設定することによりデータを送信及び受信する。ユーザ機器１０２は、スケジューリング制御チャネルを用いて送信された情報に基づいて共有チャネルを送信又は受信する。加えて、ユーザ機器１０２は携帯電話、車両、コンピュータ又はポータブル端末などであってよい。加えて、ユーザ機器１０２の種類は同じでもよく、異なってもよい。アクセスネットワークデバイス１０１及びユーザ機器１０２は、通信チャネルを用いて互いにデータを受信及び送信する。通信チャネルは、無線通信チャネルであってよい。無線通信チャネルは、少なくとも共有チャネル及びスケジューリング制御チャネルを含む。共有チャネルは、複数のユーザ機器１０２間で共有され、パケットを送信及び受信するために用いられる。スケジューリング制御チャネルは共有チャネルの割り当て、及び対応するスケジューリング結果などを送信するために用いられる。
【手続補正５】
【補正対象書類名】明細書
【補正対象項目名】００３５
【補正方法】変更
【補正の内容】
【００３５】
図２は、本発明の実施形態に係るアクセスネットワークデバイスのハードウェアの構造図である。図２に示されるように、アクセスネットワークデバイスは基地局であってよく、ベースバンドサブシステム、中間無線周波数サブシステム、アンテナサブシステム、及びいくつかのサポート構造（例えば、統合されたサブシステム）を含む。ベースバンドサブシステムは、全体の基地局の運用及び保守を実装し、シグナリング処理及び無線リソース管理を実装し、パケットコアネットワークに伝送インタフェースを提供し、ＬＴＥにおける物理層、媒体アクセス制御層、Ｌ３シグナリング、及び運用及び保守を制御するように構成されている。中間無線周波数サブシステムはベースバンド信号、中間周波数信号、及び無線周波数信号間の変換を実装し、ＬＴＥ無線受信信号を復調し、送信された信号を変調し、送信された信号の電力を増幅する。アンテナサブシステムは、基地局の無線周波数モジュールに接続されているアンテナ及びフィーダ、及びＧＰＳ受信カードに接続されているアンテナ及びフィーダを含み、無線エアーインタフェース信号を受信及び送信するように構成されている。統合されたサブシステムはベースバンドサブシステム及び中間サブシステムをサポートし、構造、電源、及び環境モニタリング機能を提供する。
【手続補正６】
【補正対象書類名】明細書
【補正対象項目名】００３６
【補正方法】変更
【補正の内容】
【００３６】
ベースバンドサブシステムは図３に示されてよい。例えば、インターネットを閲覧するために、携帯電話は基地局を介してコアネットワークにアクセスし、コアネットワークを介してインターネットにアクセスする必要がある。インターネットのデータは、コアネットワークと基地局との間のインタフェースを通してベースバンド部に伝送される。データは、ＰＤＣＰ、ＲＬＣ、及びＭＡＣプロトコル処理、エンコーディング、及びベースバンド部に対する変調のような処理を受け、そして無線周波数部分に供給されて携帯電話に伝送される。ベースバンド及び無線周波数は、ＣＰＲＩインタフェースを用いて互いに接続されてよい。加えて、現在、無線周波数部分は光ファイバを用いて遠くに配置されてよい。例えば、無線周波数部分は遠くに配置されたＲＲＵであってよい。本発明の実施形態におけるデータ伝送方法の段階は、無線周波数を用いてベースバンド部分により実行されてよい。加えて、受信及び送信の段階は、アンテナ（例えば、エアーインタフェース）を用いて実装される。
【手続補正７】
【補正対象書類名】明細書
【補正対象項目名】００４５
【補正方法】変更
【補正の内容】
【００４５】
示されてはいないが、ユーザ機器はさらに、入力ユニット、表示ユニット、センサモジュール、オーディオモジュール、ＷｉＦｉモジュール、及びブルートゥース（登録商標）モジュールなどを含んでよい。詳細はここで説明しない。
【手続補正８】
【補正対象書類名】明細書
【補正対象項目名】００４７
【補正方法】変更
【補正の内容】
【００４７】
しかしながら、ＵＥが非アンカーキャリア上でランダムアクセスを開始する必要がある場合、ＵＥは、アンカーキャリア上で測定されるナローバンド基準信号受信電力とシステムメッセージから読み取られるカバレッジレベル閾値とを比較することで、ＵＥのターゲットカバレッジレベルを決定する必要があり、それによりカバレッジレベルに基づいて、ランダムアクセスに用いられるリソースを選択し、リソース上でランダムアクセスを開始する。アンカーキャリア上のアップリンク品質は非アンカーキャリア上のアップリンク品質と完全に同等ではなく、ＮＢ‐ＩｏＴシステムにおけるＵＥの測定精度は比較的低いため、アンカーキャリア上でランダムアクセスを実行するために用いられる方法及びパラメータ（例えば、カバレッジレベル閾値、測定周期（８００ｍｓ／１６００ｍｓ）及び／又は伝送電力）に完全に従って、非アンカーキャリア上でランダムアクセスを実行したならば、非アンカーキャリア上でランダムアクセスが実行される場合、ＵＥはランダムアクセスリソースを正確に選択することができない。結果として、ランダムアクセスの成功率は比較的に低くなる。本発明の実施形態において提供されている方法は、ＵＥがアンカーキャリア上でランダムアクセスを実行する方法に基づいて改善されることで、ＵＥが可能な限り正確にリソースを選択することができることにより、非アンカーキャリア上でランダムアクセス実行の成功率を増加させる。
【手続補正９】
【補正対象書類名】明細書
【補正対象項目名】００４８
【補正方法】変更
【補正の内容】
【００４８】
図５は、本発明の実施形態に係るランダムアクセス方法のフローチャートである。ランダムアクセス方法は、図１に示されるＮＢ‐ＩｏＴシステムにおけるユーザ機器ＵＥに適用される。図５を参照すると、当該方法は以下のいくつかの段階を含む。
【手続補正１０】
【補正対象書類名】明細書
【補正対象項目名】００５０
【補正方法】変更
【補正の内容】
【００５０】
ＮＢ‐ＩｏＴにおけるキャリアは、それぞれアンカーキャリア（Ａｎｃｈｏｒ  Ｃａｒｒｉｅｒ）及び非アンカーキャリア（Ｎｏｎ‐ａｎｃｈｏｒ  Ｃａｒｒｉｅｒ）の２つのカテゴリに分割されてよく、アンカーキャリアは、ナローバンド主同期信号（Ｎａｒｒｏｗｂａｎｄ  Ｐｒｉｍａｒｙ  Ｓｙｎｃｈｒｏｎｉｚａｔｉｏｎ  Ｓｉｇｎａｌ、ＮＰＳＳ）及びナローバンド副同期信号（Ｎａｒｒｏｗｂａｎｄ  Ｐｒｉｍａｒｙ  Ｓｙｎｃｈｒｏｎｉｚａｔｉｏｎ  Ｓｉｇｎａｌ、ＮＳＳＳ）を提供し、ナローバンド物理ブロードキャストチャネル（Ｎａｒｒｏｗｂａｎｄ  Ｐｈｙｓｉｃａｌ  Ｂｒｏａｄｃａｓｔ  Ｃｈａｎｎｅｌ、ＮＰＢＣＨ）及びシステム情報を搬送するキャリア上である。加えて、ＵＥはセル識別又はセル検索のような方法を用いてアンカーキャリアを検出してよい。ＮＢ‐ＩｏＴシステムにおける複数のキャリア上のうち、アンカーキャリア以外のキャリアは非アンカーキャリアと称される。
【手続補正１１】
【補正対象書類名】明細書
【補正対象項目名】００５２
【補正方法】変更
【補正の内容】
【００５２】
本発明のこの実施形態において、第１の測定周期Ｔ１は予め設定された測定周期である。ＵＥは、予め設定された測定周期に基づいてＮＲＳＲＰを測定する。任意選択的に、Ｔ１は標準又はプロトコルにおいて指定されてもよく、ＵＥに対してアクセスネットワークデバイスにより前もって通知されてもよい。標準又はプロトコルにおいて指定されるＴ１を用いてシグナリングを低減することができ、それにより通信効率を改善させる。
【手続補正１２】
【補正対象書類名】明細書
【補正対象項目名】００５８
【補正方法】変更
【補正の内容】
【００５８】
間欠受信は、ＵＥが受信を断続的に実行することを意味するということを注意すべきである。具体的には、ＵＥが指定期間にわたって受信を実行した後、ＵＥは指定期間にわたってスリープ状態になり、その後、指定期間にわたって受信を実行し続け、そして指定期間にわたって睡スリープ状態になることを繰り返す。間欠受信周期は、ＵＥが受信を実行する指定期間にわたって及びＵＥが睡眠を行う指定期間を含む。間欠受信周期の具体的の値については、対応する通信シナリオにおけるアクセスネットワークデバイスにより指定される値を参照してよいことをさらに注意すべきである。本発明は具体的な限定を設けない。
【手続補正１３】
【補正対象書類名】明細書
【補正対象項目名】００６３
【補正方法】変更
【補正の内容】
【００６３】
具体的に、ＵＥは、Ｗ１と少なくとも１つのカバレッジレベル閾値との比較結果に基づいて第１のカバレッジレベルを決定する。ＵＥは、少なくとも１つのカバレッジレベル閾値をアクセスネットワークデバイスから受信してよい、あるいは、増分値は予め構成されてよく、ＵＥは、アクセスネットワークデバイスから受信した少なくとも１つのカバレッジレベル閾値及び増分値に基づいて、Ｗ１との比較対象となる少なくとも１つのカバレッジレベル閾値を決定する。予め構成された増分値は標準又はプロトコルにより指定されてよい。例えば、アクセスネットワークデバイスから受信される少なくとも１つのカバレッジレベル閾値の各々は増分値だけ増加して、少なくとも１つの新しいカバレッジレベル閾値を取得し、少なくとも１つの新しいカバレッジレベル閾値はＷ１と比較される。任意選択的に、増分値は０．５×Ｍであってよく、Ｍは１より大きいか又はそれに等しい正の整数である。言い換えれば、増分値は０．５ｄＢの整数倍数、例えば、０．５ｄＢ、１ｄＢ、又は１．５ｄＢである。本発明のこの実施形態は、これに限定を設けない。
【手続補正１４】
【補正対象書類名】明細書
【補正対象項目名】００６５
【補正方法】変更
【補正の内容】
【００６５】
例えば、図６に示されるように、少なくとも１つのカバレッジレベル閾値がアクセスネットワークデバイスから受信される場合、少なくとも１つのカバレッジレベル閾値はＸ及びＹを含み、ＸはＹより大きい。そして、３つのカバレッジレベルはカバレッジレベル閾値Ｘ及びＹに基づく分割を通じて取得されてよい。Ｘより大きいか又はそれに等しいカバレッジレベルはカバレッジレベル０として決定され、Ｙより大きいか又はそれに等しくＸ未満のカバレッジレベルはカバレッジレベル１として決定され、Ｙ未満のカバレッジレベルはカバレッジレベル２として決定される。Ｗ１がＸに等しいかＸより大きい場合、第１のカバレッジレベルはカバレッジレベル０である。Ｗ１がＹに等しいかＹより大きくＸ未満の場合、第１のカバレッジレベルはカバレッジレベル１と決定される。又は、Ｗ１がＹ未満の場合、第１のカバレッジレベルはカバレッジレベル２と決定される。
【手続補正１５】
【補正対象書類名】明細書
【補正対象項目名】００７５
【補正方法】変更
【補正の内容】
【００７５】
したがって、ＵＥが非アンカーキャリア上でランダムアクセスを実行する場合、本発明のこの実施形態においては、ナローバンドプリアンブルを送信するために、ＵＥにより用いられる伝送電力が増加して、アクセスネットワークデバイスにおける信号の受信信号対干渉プラス雑音比を増加させることにより、ＵＥが非アンカーキャリア上でランダムアクセスの実行の成功率を増加させる。
【手続補正１６】
【補正対象書類名】明細書
【補正対象項目名】００７７
【補正方法】変更
【補正の内容】
【００７７】
本発明のこの実施形態で提供されるランダムアクセス方法において、ＵＥは、第１の測定周期Ｔ１において基準信号受信電力Ｗ１を測定する。Ｔ１は、先行技術において構成される測定周期と比較して適切に延長された測定周期である。したがって、Ｗ１の測定における精度は比較的高い。そして、ＵＥはＷ１及び少なくとも１つのカバレッジレベルに基づいて第１のカバレッジレベルを決定する。少なくとも１つのカバレッジレベルが、アクセスネットワークデバイスにより送信される少なくとも１つのカバレッジレベル閾値及び増分値に基づいて取得される場合、ＵＥによる第１のカバレッジレベルの決定の正確度は改善され得る。それにより、第１リソースの選択における正確度が改善される。最後に、ＵＥが第１リソースを用いて第１伝送電力でランダムアクセスを実行して、アクセスネットワークデバイスの受信信号対干渉プラス雑音比を増加させる。したがって、本発明のこの実施形態において、Ｗ１の測定における精度を改善させる方法、第１リソースの選択における正確度を改善する方法、及びアクセスネットワークデバイスの受信信号対干渉プラス雑音比を増加させる方法を用いて、ＵＥによる非アンカーキャリア上でのランダムアクセス実行の成功率を増加させる。
【手続補正１７】
【補正対象書類名】明細書
【補正対象項目名】００８０
【補正方法】変更
【補正の内容】
【００８０】
各機能モジュールが各機能によって分割される場合、図９は上述の実施形態におけるユーザ機器３００の可能な概略構造図である。ユーザ機器３００は測定ユニット３０１及び決定ユニット３０２を含む。測定ユニット３０１は図５又は図８における段階２０１を実行するように構成されており、決定ユニット３０２は図５又は図８における段階２０２を実行するように構成されている。さらに、ユーザ機器３００は図８における段階２０３を実行するように構成されているアクセスユニット３０３をさらに含む。上述した方法実施形態における各段階の全ての関連内容は対応する機能モジュールの機能説明に引用されてよい。詳細はここで再度説明しない。
【手続補正１８】
【補正対象書類名】明細書
【補正対象項目名】００８６
【補正方法】変更
【補正の内容】
【００８６】
本発明のこの実施形態において、ユーザ機器は、第１の測定周期Ｔ１において基準信号受信電力Ｗ１を測定する。Ｔ１は、先行技術において構成される測定周期と比較して適切に延長された測定周期である。したがって、Ｗ１の測定における精度は比較的高い。そして、ＵＥはＷ１及び少なくとも１つのカバレッジレベルに基づいて第１のカバレッジレベルを決定する。少なくとも１つのカバレッジレベルは、予め構成されたカバレッジレベル閾値に閾値増分を追加することにより取得され、それによりＵＥによる第１リソースの選択の正確度を改善する。最後に、ＵＥが第１リソースを用いて第１伝送電力でランダムアクセスを実行して、アクセスネットワークデバイスの受信信号対干渉プラス雑音比を増加させる。したがって、本発明のこの実施形態において、Ｗ１の測定における精度を改善させる方法、第１リソースの選択における正確度を改善する方法、及びアクセスネットワークデバイスの受信信号対干渉プラス雑音比を増加させる方法を用いて、ＵＥによる非アンカーキャリア上でのランダムアクセス実行の成功率を増加させる。
【国際調査報告】
2020511852.tif 000014
2020511852.tif 000015
2020511852.tif 000016
2020511852.tif 000017